(57)【要約】【課題】本発明は、スピーカセットアップを簡単且つ正確に行うことができるオーディオシステムを提供することを課題とする。【解決手段】リモコン４０の磁場発生部４２によって発生させた磁場の方向を検出する第１方位センサ１６と、第１方位センサ１６と所定の間隔をおいて配置され、リモコン４０の磁場発生部４２によって発生させた磁場の方向を検出する第２方位センサ１７とを設け、システムコントローラ１８は、第１方位センサ１６および第２方位センサ１７によってそれぞれ検出された磁場の方向に基づいてリモコン４０の水平面上での座標を検出する。【選択図】        図２
2007208778.tif 000002
【特許請求の範囲】
【請求項１】
コンテンツを再生して音響信号を出力するオーディオプレーヤである本体装置と複数のスピーカとからなるオーディオシステムであって、
磁場を発生させる磁場発生手段を備えたリモコンと、
該リモコンの前記磁場発生手段によって発生させた磁場の方向を検出する第１方位センサと、
該第１方位センサと所定の間隔をおいて配置され、前記リモコンの前記磁場発生手段によって発生させた磁場の方向を検出する第２方位センサと、
前記第１方位センサおよび第２方位センサによってそれぞれ検出された磁場の方向に基づいて水平面上での前記リモコンの座標を検出する座標検出手段とを具備することを特徴とするオーディオシステム。
【請求項２】
前記リモコンの移動位置を案内する案内手段とを具備し、
前記第１方位センサおよび第２方位センサによって、前記案内手段によって案内された前記リモコンの前記磁場発生手段によって発生させた磁場の方向をそれぞれ検出させ、
前記座標検出手段は、前記リモコンの座標を前記案内手段によって案内された移動位置の座標として検出することを特徴とする請求項１記載のオーディオシステム。
【請求項３】
前記案内手段によって案内された移動位置は、前記スピーカの位置であることを特徴とする請求項２記載のオーディオシステム。
【請求項４】
前記案内手段によって案内された移動位置は、聴取位置であることを特徴とする請求項２又は３記載のオーディオシステム。
【請求項５】
前記座標検出手段によって検出された座標を記憶する座標記録手段と、
該座標記録手段に記憶された座標に基づいて複数の前記スピーカに出力される音声信号を音声調整する音声調整手段とを具備することを特徴とする請求項１乃至４のいずれかのオーディオシステム。
【請求項６】
前記リモコンの前記磁場発生手段は、磁場の強さを２段階に切り換え可能であり、
前記座標検出手段は、前記リモコンの前記磁場発生手段によって磁場を発生させていない状態で前記第１方位センサおよび第２方位センサによってそれぞれ検出された磁場の方向と、前記リモコンの前記磁場発生手段によって第１の強さで磁場を発生させた状態で前記第１方位センサおよび第２方位センサによってそれぞれ検出された磁場の方向と、前記リモコンの前記磁場発生手段によって前記第１の強さとは異なる第２の強さで磁場を発生させた状態で前記第１方位センサおよび第２方位センサによってそれぞれ検出された磁場の方向とに基づいて、前記第１方位センサおよび第２方位センサにおける前記リモコンの前記磁場発生手段によって発生された磁場の方向を正確にそれぞれ算出し、算出した前記第１方位センサおよび第２方位センサにおけるそれぞれの磁場の方向に基づいて水平面上での前記リモコンの座標を検出することを特徴とする請求項１乃至５のいずれかのオーディオシステム。
【発明の詳細な説明】
【技術分野】
【０００１】
本発明は、コンテンツを再生して音響信号を出力するオーディオプレーヤである本体装置と複数のスピーカとからなるオーディオシステムに関し、特にリモコンによって本体装置がリモートコントロールされるオーディオシステムに関する。
【背景技術】
【０００２】
コンテンツを再生して音響信号を出力する本体装置と複数のスピーカとからなるオーディオシステムでは、本体装置に聴取位置と各スピーカの位置とを把握させることで、聴取位置を最適なリスニング環境にする音声調整を行うことが可能になる。
【０００３】
聴取位置と各スピーカの位置とを本体装置に把握させる方法は、スピーカセットアップと称されており、ユーザが聴取位置と各スピーカの位置とを手動で入力する方法や、マイクを聴取位置に置き、テスト信号を各スピーカから出力し、マイクで検出した音を元に、聴取位置から各スピーカまでの距離を測定する方法や、リモコンから超音波として送信されるリモコン信号を用いて聴取位置を測定する方法（例えば、特許文献１参照）が提案されている。
【０００４】
しかしながら、手動でスピーカセットアップを行う場合には、聴取位置と各スピーカの位置とを一つ一つ入力をする必要があるため、入力が面倒であると共に、聴取位置と各スピーカの位置を目測で判断するため、精度が悪くなってしまうという問題点があった。また、マイクを用いてスピーカセットアップを行う場合には、測定する際の環境準備の手間がかかると共に、テスト信号を発生させるため、測定の間、うるさいというという問題点があった。さらに、超音波を用いてスピーカセットアップを行う場合には、超音波は指向性が強いため、方向をある程度正しく設定しなければならず、リモコンの操作が困難であるという問題点があった。
【特許文献１】特開平０２−１８４１９６号公報
【発明の開示】
【発明が解決しようとする課題】
【０００５】
本発明は斯かる問題点に鑑みてなされたものであり、その目的とするところは、スピーカセットアップを簡単且つ正確に行うことができるオーディオシステムを提供する点にある。
【課題を解決するための手段】
【０００６】
本発明は上記課題を解決すべく、以下に掲げる構成とした。
本発明のオーディオシステムは、コンテンツを再生して音響信号を出力するオーディオプレーヤである本体装置と複数のスピーカとからなるオーディオシステムであって、磁場を発生させる磁場発生手段を備えたリモコンと、該リモコンの前記磁場発生手段によって発生させた磁場の方向を検出する第１方位センサと、該第１方位センサと所定の間隔をおいて配置され、前記リモコンの前記磁場発生手段によって発生させた磁場の方向を検出する第２方位センサと、前記第１方位センサおよび第２方位センサによってそれぞれ検出された磁場の方向に基づいて水平面上での前記リモコンの座標を検出する座標検出手段とを具備することを特徴とする。
【０００７】
さらに、本発明のオーディオシステムは、前記リモコンの移動位置を案内する案内手段とを具備し、前記第１方位センサおよび第２方位センサによって、前記案内手段によって案内された前記リモコンの前記磁場発生手段によって発生させた磁場の方向をそれぞれ検出させ、前記座標検出手段は、前記リモコンの座標を前記案内手段によって案内された移動位置の座標として検出することを特徴とする。
【０００８】
さらに、本発明のオーディオシステムは、前記案内手段によって案内された移動位置は、前記スピーカの位置であることを特徴とする。
【０００９】
さらに、本発明のオーディオシステムは、前記案内手段によって案内された移動位置は、聴取位置であることを特徴とする。
【００１０】
さらに、本発明のオーディオシステムは、前記座標検出手段によって検出された座標を記憶する座標記録手段と、該座標記録手段に記憶された座標に基づいて複数の前記スピーカに出力される音声信号を音声調整する音声調整手段とを具備することを特徴とする。
【００１１】
さらに、本発明のオーディオシステムは、前記リモコンの前記磁場発生手段は、磁場の強さを２段階に切り換え可能であり、前記座標検出手段は、前記リモコンの前記磁場発生手段によって磁場を発生させていない状態で前記第１方位センサおよび第２方位センサによってそれぞれ検出された磁場の方向と、前記リモコンの前記磁場発生手段によって第１の強さで磁場を発生させた状態で前記第１方位センサおよび第２方位センサによってそれぞれ検出された磁場の方向と、前記リモコンの前記磁場発生手段によって前記第１の強さとは異なる第２の強さで磁場を発生させた状態で前記第１方位センサおよび第２方位センサによってそれぞれ検出された磁場の方向とに基づいて、前記第１方位センサおよび第２方位センサにおける前記リモコンの前記磁場発生手段によって発生された磁場の方向を正確にそれぞれ算出し、算出した前記第１方位センサおよび第２方位センサにおけるそれぞれの磁場の方向に基づいて水平面上での前記リモコンの座標を検出することを特徴とする。
【発明の効果】
【００１２】
本発明のオーディオシステムは、リモコンの磁場発生手段によって発生させた磁場の方向を検出する第１方位センサと、第１方位センサと所定の間隔をおいて配置され、前記リモコンの前記磁場発生手段によって発生させた磁場の方向を検出する第２方位センサとを設け、第１方位センサおよび第２方位センサによってそれぞれ検出された磁場の方向に基づいて水平面上でのリモコンの座標を検出するように構成することにより、スピーカの位置や聴取位置にリモコンを移動させて、リモコンの座標を検出させるだけでスピーカセットアップを行うことができるため、スピーカセットアップを簡単且つ正確に行うことができるという効果を奏する。
【００１３】
さらに、本発明のオーディオシステムは、リモコンの移動位置を案内する案内手段を設け、第１方位センサおよび第２方位センサによって、移動位置にあるリモコンの磁場発生手段によって発生させた磁場の方向をそれぞれ検出させ、リモコンの座標を前記案内手段によって案内された移動位置の座標として検出するように構成することにより、案内手段による案内に応じて、リモコンを移動させるだけでスピーカセットアップを行うことができるため、スピーカセットアップを簡単且つ正確に行うことができるという効果を奏する。
【発明を実施するための最良の形態】
【００１４】
以下、本発明の実施の形態を図面に基づいて詳細に説明する。
【００１５】
図１は、本発明に係るオーディオシステムの実施の形態の構成を示す構成図であり、図２は、図１に示す本体装置の構成を示すブロック図である。
【００１６】
本実施の形態のオーディオシステムは、図１を参照すると、ＤＶＤに記録されているコンテンツを再生して音響信号を出力するオーディオプレーヤである本体装置１０と、本体装置１０が出力された音声信号を音声出力するセンタスピーカ３１、サブウーファスピーカ３２、フロント左スピーカ３３、フロント右スピーカ３４、サラウンド左スピーカ３５およびサラウンド右スピーカ３６と、本体装置１０を操作するリモコン４０とからなる。
【００１７】
本体装置１０は、図２を参照すると、ＤＶＤユニット１１と、デジタル・シグナル・プロセッサ（ＤＳＰ）１２と、デジタル／アナログ（Ｄ／Ａ）変換部１３と、増幅部１４と、受光部１５と、第１方位センサ１６と、第２方位センサ１７と、システムコントローラ１８と、スピーカ座標記憶部１９とを備えている。
【００１８】
ＤＶＤユニット１１は、ＤＶＤに記録されている音声データを読み出す記録情報読出手段であり、読み取った音声データをＤＳＰ１２に出力する。
【００１９】
ＤＳＰ１２は、ＤＶＤユニット１１から入力される音声データを音声信号に復調させるデコード機能と、復調させた音声信号に対してサラウンド処理、イコライズ処理、音場補正処理等の信号処理を実行する音声調整機能とを有し、ＤＳＰ１２によって復調され、音声調整を施された音声信号は、Ｄ／Ａ変換部１３によってアナログ信号に変換されると共に、増幅部１４よって増幅されて出力される。
【００２０】
受光部１５は、リモコン４０からの操作信号（赤外線）を受信し、受信した操作信号をシステムコントローラ１８に出力する。
【００２１】
第１方位センサ１６および第２方位センサ１７は、方位を検出する磁気センサであり、第１方位センサ１６と第２方位センサ１７とは、図１を参照すると、本体装置１０の前面両側に所定の間隔をおいて配置されている。
【００２２】
システムコントローラ１８は、リモコン４０から受光部１５に入力される操作信号に基づく本体装置１０の動作を制御する制御手段であり、第１方位センサ１６および第２方位センサ１７によって検出された磁場の方向に基づいて各スピーカの座標および聴取位置の座標を検出するスピーカ座標検出動作を実行する機能と、スピーカ座標検出動作に伴う操作案内を接続されている液晶ディスプレイ等の表示装置５０に出力するＯＳＤ機能と、スピーカ座標検出動作によって検出した各スピーカの座標に基づいてＤＳＰ１２を制御することで、聴取位置に対する各スピーカの配置に適した音声調整を行う音声調整機能とを備えている。
【００２３】
スピーカ座標記憶部１９は、フラッシュメモリ等の記憶手段であり、システムコントローラ１８によって実行されるスピーカ座標検出動作で検出された各スピーカの座標が記憶される。
【００２４】
リモコン４０は、入力された各種操作入力を操作信号として本体装置１０の受光部１５に送信することで、本体装置１０の動作をコントロールするリモートコントロール手段であり、図２を参照すると、本体装置１０を操作するための各種操作入力を受け付ける操作部４１と、コイルを用いて磁場を発生させる磁場発生部４２とを備えている。
【００２５】
操作部４１は、テンキーや各種操作ボタンを供えており、スピーカ座標検出動作の実行を指示する座標検出指示の入力と、磁場発生部４２に磁場の発生を指示する磁場発生指示の入力とを受け付ける。
【００２６】
磁場発生部４２は、コイルに通電させることにより磁場を発生させる磁場発生手段であり、磁場を発生させるコイルは、コイル軸の方向が、操作信号を送信する方向と一致するように設けられ、ユーザが発生させる磁場の向きを認識できるようになっている。また、磁場発生部４２によって発生される磁場は、本体装置１０の第１方位センサ１６および第２方位センサ１７が周辺磁場に左右されることなく検出することができる強さに設定されている。
【００２７】
次に、本実施の形態のスピーカ座標検出動作について図３乃至図５を参照して詳細に説明する。
図３は、図１に示すリモコンのスピーカ座標検出動作時の操作を説明するためのフローチャートであり、図４は、本発明に係るオーディオシステムの実施の形態におけるスピーカ座標検出動作を説明するためのフローチャートであり、図５は、図１に示すリモコンの座標を検出する座標検出方法を説明するための説明図である。
【００２８】
まず、リモコン４０の操作部４１からスピーカ座標検出動作の開始を指示する座標検出指示が入力されると（ステップＡ１）、座標検出指示が操作信号がとしてリモコン４０から本体装置１０に送信される。
【００２９】
本体装置１０のシステムコントローラ１８は、座標検出指示の入力を監視しており（ステップＢ１）、受光部１５によってリモコン４０からの座標検出指示が入力されると、移動位置として最初のスピーカにリモコン４０を移動させる案内と、磁場発生指示の入力の案内とをＯＳＤ機能によって表示部５０に表示させ（ステップＢ２）、第１方位センサ１６および第２方位センサ１７によって検出される方位の変動を監視する（ステップＢ３）。なお、リモコン４０を移動させるように案内する最初のスピーカは、センタスピーカ３１、サブウーファスピーカ３２、フロント左スピーカ３３、フロント右スピーカ３４、サラウンド左スピーカ３５もしくはサラウンド右スピーカ３６のいずれかに予め設定されている。
【００３０】
ユーザは、表示部５０に表示される案内表示を監視し（ステップＡ２）、リモコン４０の移動位置（最初のスピーカ）と、磁場発生指示の入力との案内が表示部５０に表示されると、リモコン４０を案内された移動位置（最初のスピーカ）に移動させ（ステップＡ３）、磁場発生部４２のコイル軸の方向を本体装置１０に向けた状態で、操作部４１から磁場発生指示を入力し（ステップＡ４）、磁場発生部４２によって磁場を所定時間（例えば、１秒）発生させ、次の案内表示を監視する（ステップＡ５）。
【００３１】
磁場発生部４２によって磁場が発生されると、本体装置１０の第１方位センサ１６および第２方位センサ１７によって検出される方位が変動し、システムコントローラ１８は、第１方位センサ１６および第２方位センサ１７によって検出される方位（磁場発生部４２によって発生させた磁場の方向）に基づいて、水平面におけるリモコン４０が位置する座標、すなわちリモコン４０が位置するスピーカの座標を算出する（ステップＢ４）。
【００３２】
すなわち、図５（ａ）に示すように、第１方位センサ１６と第２方位センサ１７とを結ぶ直線Ｘをｘ軸とし、本体装置１０の中央を通り直線Ｘに対して垂直な直線Ｙをｙ軸として水平面において、第１方位センサ１６の座標を（−ｄ，０）、第２方位センサ１７の座標を（ｄ，０）とすると共に、第１方位センサ１６によって検出される方位から把握されるリモコン４０と第１方位センサ１６とを結ぶ直線の傾きをｂ、第２方位センサ１７によって検出される方位から把握されるリモコン４０と第２方位センサ１７とを結ぶ直線の傾きをａとすると、リモコン４０が位置する座標（ｘ，ｙ）は、ｘ＝−ｄ（ａ＋ｂ）／（ａ−ｂ）、ｙ＝−２ａｂｄ／（ａ−ｂ）として算出することができる。
【００３３】
次に、システムコントローラ１８は、全スピーカの座標、すなわちセンタスピーカ３１、サブウーファスピーカ３２、フロント左スピーカ３３、フロント右スピーカ３４、サラウンド左スピーカ３５およびサラウンド右スピーカ３６のそれぞれの座標を算出したか否かを判断し（ステップＢ５）、全てのスピーカの座標を算出していない場合には、座標を検出していない次のスピーカへのリモコン４０の移動と、磁場発生指示の入力の案内とをＯＳＤ機能によって表示部５０に案内表示させ（ステップＢ６）、ステップＢ３に戻る。
【００３４】
リモコン４０の移動位置（次のスピーカ）と、磁場発生指示の入力との案内が表示部５０に表示されると、ステップＡ３に戻り、このようにして、リモコン４０におけるステップＡ３〜ステップＡ５の操作と、本体装置１０におけるステップＢ３〜ステップＢ６の動作とは、図５（ｂ）に示すように、全スピーカの座標（Ｃ、ＳＷ、ＦＬ、ＦＲ、ＳＬ、ＳＲ）が算出されるまで繰り返されることになる。
【００３５】
次に、全スピーカの座標が算出すると、システムコントローラ１８は、聴取位置にリモコン４０を移動させる案内と、磁場発生指示の入力の案内とをＯＳＤ機能によって表示部５０に表示させ（ステップＢ７）、第１方位センサ１６および第２方位センサ１７によって検出される方位の変動を監視する（ステップＢ８）。
【００３６】
ユーザは、リモコン４０の移動位置（聴取位置）と、磁場発生指示の入力との案内が表示部５０に表示されると、リモコン４０を案内された移動位置に移動させ（ステップＡ２）、磁場発生部４２のコイル軸の方向を本体装置１０に向けた状態で、操作部４１から磁場発生指示を入力し（ステップＡ３）、磁場発生部４２によって磁場を所定時間（例えば、１秒）発生させ（ステップＡ４）、次の案内表示を監視する（ステップＡ５）。
【００３７】
磁場発生部４２によって磁場が発生されると、本体装置１０の第１方位センサ１６および第２方位センサ１７によって検出される方位が変動し、システムコントローラ１８は、第１方位センサ１６および第２方位センサ１７によって検出される方位（磁場発生部４２によって発生させた磁場によって変動した方位）に基づいて、水平面におけるリモコン４０が位置する座標、すなわちリモコン４０が位置する聴取位置の座標（Ｐ）を、図５（ｂ）に示すように算出する（ステップＢ９）。
【００３８】
聴取位置の座標（Ｐ）を算出すると、システムコントローラ１８は、全てのスピーカの座標（Ｃ、ＳＷ、ＦＬ、ＦＲ、ＳＬ、ＳＲ）と聴取位置の座標（Ｐ）とをスピーカ座標記憶部１９に記憶させると共に（ステップＢ１０）、全スピーカの座標の検出が完了したことを知らせるメッセージをＯＳＤ機能によって表示部５０に表示させて（ステップＢ１１）、スピーカ座標検出動作を終了する。また、ユーザは、案内表示が表示部５０されることなく、全スピーカの座標の検出が完了したことを知らせるメッセージが表示部５０に表示されると（ステップＡ６）、スピーカ座標検出動作の終了を認識して操作を終了させる。
【００３９】
なお、本実施の形態では、全スピーカの座標と聴取位置の座標とを算出してスピーカ座標記憶部１９に記憶させるように構成したが、全スピーカの座標と聴取位置の座標とを用いて、聴取位置から各スピーカへの距離および方向をそれぞれ算出し、算出した聴取位置から各スピーカへのそれぞれの距離および方向をスピーカ座標記憶部１９に全スピーカの座標と聴取位置の座標との代わりに記憶させるようにしても良い。
【００４０】
また、本実施の形態では、スピーカ座標検出動作によって全スピーカの座標と聴取位置の座標とを連続して検出するように構成したが、リモコン４０から更新するスピーカもしくは聴取位置を指定し、指定したスピーカもしくは聴取位置の座標を個別に検出して、スピーカ座標記憶部１９に記憶されている座標を更新するようにすると、１つのスピーカを移動した際や、聴取位置を変更した際に、簡単にスピーカ座標記憶部１９に記憶されている座標を更新することができ、１つのスピーカを移動や、聴取位置の変更に応じた音声調整を行うことができる。
【００４１】
次に、本実施の形態の音声調整動作について図６を参照して詳細に説明する。
図６は、本発明に係るオーディオシステムの実施の形態における音声調整動作を説明するためのフローチャートである。
【００４２】
コンテンツの再生が指示されると、システムコントローラ１８は、各スピーカに出力する音声信号に対し、スピーカ座標記憶部１９に記憶されている全スピーカの座標と聴取位置の座標とを読み出し（ステップＣ１）、読み出した全スピーカ座標と聴取位置の座標に基づいて聴取位置から各スピーカへの距離および方向をそれぞれ算出し（ステップＣ２）、算出した聴取位置から各スピーカへのそれぞれ距離および方向に基づいてＤＳＰ１２に音声調整を行わせる（ステップＣ３）。
【００４３】
次に、本実施の形態のスピーカ座標検出動作において周辺磁場の影響をオフセットする方法について図７を参照して詳細に説明する。
図７は、本発明に係るオーディオシステムの実施の形態におけるスピーカ座標検出動作時に周辺磁場をイニシャライズする方法を説明するための説明図である。
【００４４】
上述したスピーカ座標検出動作では、周辺磁場を無視できるものとして説明したが、リモコン４０の磁場発生部４２で発生させる磁場の強さを２段階に切り換え可能に構成することにより、周辺磁場を完全にオフセットして磁場発生部４２で発生させた磁場の方向を正確に検出することができる。以下、リモコン４０の磁場発生部４２で発生させる磁場の強さを１倍と２倍とに切り換える場合について説明する。
【００４５】
図７（ａ）に示すように、周辺磁場をベクトルＮ＝（１，０）とする。リモコン４０の磁場発生部４２で１倍の磁場を発生させた場合には、第１方位センサ１６もしくは第２方位センサ１７によって検出される磁場のベクトルＱは、Ｑ＝（ｕｃｏｓα，ｕｓｉｎα）となり、リモコン４０の磁場発生部４２で発生させた１倍の磁場のベクトルＰａは、Ｐａ＝Ｑ−Ｎ＝（ｕｃｏｓα−１，ｕｓｉｎα）となる。また、と共に、リモコン４０の磁場発生部４２で２倍の磁場を発生させた場合には、第１方位センサ１６もしくは第２方位センサ１７によって検出される磁場のベクトルＲは、Ｒ＝（ｖｃｏｓα，ｖｓｉｎα）となり、リモコン４０の磁場発生部４２で発生させた２倍の磁場のベクトルＰｂは、Ｐｂ＝Ｒ−Ｎ＝（ｖｃｏｓα−１，ｖｓｉｎα）となる。
【００４６】
ここで、Ｐｂ＝２Ｐａであるため、（ｖｃｏｓα−１，ｖｓｉｎα）＝２（ｕｃｏｓα−１，ｕｓｉｎα）となり、ｕ、ｖに関する連立方程式を解くことによって、ｕ、ｖを第１方位センサ１６もしくは第２方位センサ１７によって検出することができる角度αと角度βとで表すことができるため、ＰａおよびＰｂも角度αと角度βとで表すことができ、リモコン４０の磁場発生部４２で発生させた磁場の方向を第１方位センサ１６および第２方位センサ１７によって正確に検出することができる。
【００４７】
なお、本実施の形態では、方位のみを検出する第１方位センサ１６および第２方位センサ１７を用いたが、第１方位センサ１６および第２方位センサ１７として磁場の方位と強さとを検出できる磁気センサを用いることでも、スピーカ座標検出動作において周辺磁場の影響をオフセットすることができる。すなわち、リモコン４０の磁場発生部４２で磁場を発生させた際に第１方位センサ１６および第２方位センサ１７で検出される方位と強さとで表されるベクトルは、周辺磁場の方向と強さとで表されるベクトルと、リモコン４０の磁場発生部４２で発生させた磁場の方向と強さとで表されるベクトルとを合成したものになるため、第１方位センサ１６および第２方位センサ１７によって周辺磁場の方位と強さとを検出しておくことで、リモコン４０の磁場発生部４２で発生させた磁場の方向を正確に算出することが可能になる。
【００４８】
以上説明したように、本実施の形態によれば、リモコン４０の磁場発生部４２によって発生させた磁場の方向を検出する第１方位センサ１６と、第１方位センサ１６と所定の間隔をおいて配置され、リモコン４０の磁場発生部４２によって発生させた磁場の方向を検出する第２方位センサ１７とを設け、システムコントローラ１８は、第１方位センサ１６および第２方位センサ１７によってそれぞれ検出された磁場の方向に基づいてリモコン４０の水平面上での座標を検出するように構成することにより、スピーカの位置や聴取位置にリモコン４０を移動させて、リモコン４０の座標を検出させるだけでスピーカセットアップを行うことができるため、スピーカセットアップを簡単且つ正確に行うことができるという効果を奏する。
【００４９】
さらに、本発明のオーディオシステムは、システムコントローラ１８のＯＳＤ機能によって表示部５０にリモコン４０の移動位置の案内を表示させ、第１方位センサ１６および第２方位センサ１７によって、移動位置にあるリモコン４０の磁場発生部４２によって発生させた磁場の方向をそれぞれ検出させ、システムコントローラ１８は、リモコン４０の座標を移動位置の座標として検出するように構成することにより、表示部５０に表示された案内に応じて、リモコン４０を移動させるだけでスピーカセットアップを行うことができるため、スピーカセットアップを簡単且つ正確に行うことができるという効果を奏する。
【００５０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５１】
【図１】本発明に係るオーディオシステムの実施の形態の構成を示す構成図である。
【図２】図１に示す本体装置の構成を示すブロック図である。
【図３】図１に示すリモコンのスピーカ座標検出動作時の操作を説明するためのフローチャートである。
【図４】本発明に係るオーディオシステムの実施の形態におけるスピーカ座標検出動作を説明するためのフローチャートであ図である。
【図５】図１に示すリモコンの座標を検出する座標検出方法を説明するための説明図である。
【図６】本発明に係るオーディオシステムの実施の形態における音声調整動作を説明するためのフローチャートである。
【図７】本発明に係るオーディオシステムの実施の形態におけるスピーカ座標検出動作時に周辺磁場をイニシャライズする方法を説明するための説明図である。  図である。
【符号の説明】
【００５２】
１０  本体装置
１１  ＤＶＤユニット
１２  デジタル・シグナル・プロセッサ（ＤＳＰ）
１３  デジタル／アナログ（Ｄ／Ａ）変換部
１４  増幅部
１５受光部
１６  第１方位センサ
１７  第２方位センサ
１８  システムコントローラ
３１  センタスピーカ
３２  サブウーファスピーカ
３３  フロント左スピーカ
３４  フロント右スピーカ
３５  サラウンド左スピーカ
３６  サラウンド右スピーカ
４０  リモコン
４１  操作部
４２  磁場発生部
【図１】
2007208778.tif 000003
【図２】
2007208778.tif 000004
【図３】
2007208778.tif 000005
【図４】
2007208778.tif 000006
【図５】
2007208778.tif 000007
【図６】
2007208778.tif 000008
【図７】
2007208778.tif 000009